(57)【特許請求の範囲】
【請求項１】
上下方向に延びる遠心機の回転軸に装着され、前記回転軸を中心とし、試料用容器を挿入する複数の試料用容器挿入孔が対称に配列してなる試料用容器支持部が形成されたロータであって、
前記試料用容器支持部は、前記回転軸側から径方向外側に向かって高くなる形状の試料用容器設置面と、前記回転軸を中心とした円周より内側において前記試料用容器支持部が掘下げられた掘下げ部、及び前記円周側から前記回転軸側まで延在し、前記回転軸の周りの周方向において隣接する前記試料用容器挿入孔の間に設けられ、前記掘下げ部の底面よりも高く形成されたリブを有し、
前記リブの高さ方向の傾斜角の最大値は、前記試料用容器設置面と水平との間の角度よりも大きく、前記リブの回転軸側は、前記掘下げ部の径方向内側の内側端面に接続されていることを特徴とするロータ。
【請求項２】
前記リブは、前記回転軸方向に向かって前記リブの上面が低くなる形状とされたことを特徴とする請求項１に記載のロータ。
【請求項３】
上面視において、前記試料用容器を囲む外壁部を前記試料用容器設置面の前記径方向の外側に具備することを特徴とする請求項２に記載のロータ。
【請求項４】
前記リブは、前記回転軸の周りの周方向で隣接する前記試料用容器挿入孔の間の全てにおいて形成されていることを特徴とする請求項１から請求項３までのいずれか１項に記載のロータ。
【請求項５】
上下方向に延びる遠心機の回転軸に装着され、
前記回転軸を中心とし、試料用容器を挿入する複数の試料用容器挿入孔が対称に配列してなる試料用容器支持部が形成されたロータであって、
前記試料用容器支持部は、上面視において装着された前記試料用容器の前記回転軸側の端部が前記回転軸を中心とした円周上に位置し、
前記円周より内側において前記試料用容器支持部が掘下げられた掘下げ部と、
前記円周側から前記回転軸側まで延在し、前記回転軸の周りの周方向において隣接する前記試料用容器挿入孔の間に設けられ、前記掘下げ部の底面よりも高く形成されたリブと、を有し、
前記リブの高さ方向の傾斜角の最大値は、前記試料用容器設置面と水平との間の角度よりも大きく、前記リブの回転軸側は、前記掘下げ部の径方向内側の内側端面に接続されていることを特徴とするロータ。
【請求項６】
請求項１から請求項５までのいずれか１項に記載のロータが用いられることを特徴とする遠心機。
【発明の詳細な説明】
【技術分野】
【０００１】
本発明は、試料を収容した試料用容器を高速で回転させて試料に遠心力を印加する遠心機において、試料用容器を複数装着させた状態で回転駆動されるロータの構造に関する。あるいはこのロータを用いた遠心機の構造に関する。
【背景技術】
【０００２】
高速回転時の遠心力によって試料（例えば培養液、血液等）を密度の異なる物質毎に分離、あるいは試料の精製や分析をするために、遠心機（遠心分離機）が用いられている。遠心機においては、試料が封入された試料用容器が装着された状態で、例えば金属製や樹脂製のロータが、例えば２００００ｒｐｍ程度の高速で、上下方向に沿った中心軸（回転軸）の周りで回転する。ロータには、試料が封入された試料用容器を挿入して装着するための孔部である試料用容器挿入孔が設けられる。こうしたロータの構造は、例えば特許文献１に記載されている。【０００３】
このようなロータ２００の斜視図を図５（ａ）に、回転軸及び試料用容器の中心軸に沿った断面図を図５（ｂ）に示す。ここで、特許文献１に記載の構造では大きさの異なる２種類の試料用容器が用いられていたが、ここでは、単純化して１種類のみの試料用容器が用いられるものとし、斜視図（図５（ａ））においては、試料用容器５１が回転軸Ｘに対して対称な２箇所の試料用容器挿入孔６１のみに装着された状態が示され、図５（ｂ）においては、試料用容器５１が装着された箇所における試料用容器５１の中心軸（試料用容器中心軸Ｙ）及び回転軸Ｘに沿った断面が示されている。実際には遠心分離処理時にはこの状態でロータ２００に上部を封止する蓋を取り付ける場合があるが、蓋の記載は省略されている。また、ロータ２００は、封止された空間となるロータ室の内部で中心軸Ｘを回転軸としてモータによって回転駆動される。【０００４】
図５（ａ）に示されるように、試料用容器挿入孔６１は、上面視において中心軸Ｙが回転軸Ｘを中心とした円周に沿うように配列して形成され、試料用容器５１は上側から試料用容器挿入孔６１に装着される。図５（ｂ）に示されるように、試料用容器５１は装着時における下側が閉じた筒状の試料用容器本体５１１と、その上側の開口を封止するように装着される蓋部５１２で構成され、試料用容器本体５１１に試料を収容して封止することができる。【０００５】
ここでは、ロータ本体６０の内側が、試料用容器５１を支持するための試料用容器支持部とされる。試料用容器支持部を構成する面として、回転軸Ｘ近くにおいて略水平に形成されたロータ底面６０Ａと、回転軸Ｘからみたロータ底面６０Ａの外側において上面視において円環状でありロータ底面６０Ａ側から外側に向かって高くなるように傾斜した面である料用容器設置面６０Ｂが設けられる。試料用容器挿入孔６１は、試料用容器中心軸Ｙが試料用容器設置面６０Ｂと略垂直となるように掘り下げて形成される。このため、図５（ｂ）に示されるように、試料用容器挿入孔６１は、試料用容器中心軸Ｙが回転軸Ｘ側からみた外側斜め下側に向くように掘下げられて形成される。この構造により、試料用容器５１を試料用容器挿入孔６１に上側から装着し、ロータ２００の高速回転時において、遠心力が印加される試料用容器５１を安定して保持し、かつ試料用容器５１内の試料に遠心力を印加することができる。この際、ロータ２００の回転時における回転軸Ｘ周りの重量バランスを保つために、試料用容器挿入孔６１は、上面視において回転軸Ｘを中心とした円周上に等間隔で対称に形成され、試料用容器挿入孔６１の数だけ試料用容器５１を装着してロータ２００を回転駆動することができる。【０００６】
また、各試料用容器５１に対して、回転軸Ｘからみた径方向外側に向けて強い遠心力が印加されるため、装着された試料用容器５１の上側を回転軸Ｘの周りで囲む外壁部６２が試料用容器設置面６０Ｂの外側に設けられる。この構造により、図５（ｂ）に示されるように、処理時においては、試料用容器５１は、回転軸Ｘからみた外側において試料用容器中心軸Ｙ方向のほぼ全域にわたり、試料用容器装着孔６１の外側の面や外壁部６２によって、機械的に強固に支持される。この構成によって、試料用容器５１を機械的に支持する領域を十分に広くとることができ、強い遠心力によって試料用容器５１が破損する、あるいは折れ曲がることが抑制される。【０００７】
ここで、遠心機の処理効率を高めるためには、収容できる試料用容器５１の数を増やす、すなわち試料用容器挿入孔６１の数を多くすることが有効である。一方、ロータ２００を駆動するモータの消費電力を低減する、あるいは装置全体の小型化のためには、ロータ２００を小型化することが好ましく、ロータ２００の回転軸Ｘ周りの最大径は小さいことが好ましい。このため、周方向で隣接する試料用容器挿入孔６１の間隔は狭く設定され、装着時において隣接する試料用容器５１の間隔は極めて狭くなる。一般的に、試料用容器５１をロータ２００から取り外す作業は、作業者が試料用容器５１を指でつまんで行われるが、このように間隔が狭く、かつ全ての試料用容器挿入孔６１に試料用容器５１が装着された場合には、この際に指を入れるスペースが確保できない場合がある。特に、全ての試料用容器挿入孔６１に試料用容器５１が装着されている場合には、このようなスペースを設けることが困難であり、これは特に試料用容器５１の蓋部５１２が大径の場合に顕著となる。このため、ロータ２００を小型化した場合には、作業者が試料用容器５１を試料用容器挿入孔６１から取り外すことは容易ではない。【０００８】
ここで、前記のように、試料用容器５１の外側においては試料用容器５１を支持する領域を十分に広く設けることが必要であるために、外側（外壁部６２側）においてこのように指を入れるスペースを確保することは困難である。一方で、試料用容器５１の内側（回転軸Ｘ側）は、その外側と比べて試料用容器５１を強固に支持する必要がない。このため、図６（ａ）（ｂ）に示されるロータ２０１におけるロータ本体７０には、試料用容器５１の内側において作業者が指を入れることが可能なスペースを設けるために、試料用容器設置面６０Ｂからロータ底面６０Ａにかけて、これらが下側に向かって掘り下げられた掘下げ部６０Ｃが設けられる。掘下げ部６０Ｃは、上面視において回転軸Ｘを囲む円環状に形成される。図６（ｂ）に示されるように、掘下げ部６０Ｃの回転軸Ｘ側の端面（内側端面６０Ｃ１）を、装着された試料用容器５１（蓋部５１２）の回転軸Ｘ側の端部（試料用容器内側端部Ｐ）よりも内側（回転軸Ｘ側）に位置する。このため、試料用容器５１よりも回転軸Ｘ側において、作業者が指を入れることのできるスペースが確保される。こうしたロータの構造は、例えば特許文献２に記載されている。
【先行技術文献】
【特許文献】
【０００９】
【特許文献１】特開２０１２−３５２６１号公報
【特許文献２】特開２００３−３０５３８１号公報
【発明の概要】
【発明が解決しようとする課題】
【００１０】
図６のロータ２０１においては、処理時において試料用容器５１を強固に支持し、かつ試料用容器５１の取り出しも容易に行うことができたものの、ロータ２０１の機械的強度が低下するという問題があった。【００１１】
特に、掘下げ部６０Ｃが形成された場合、回転時においてロータ本体７０における掘下げ部６０Ｃよりも外側の部分に強い遠心力が印加されるため、図６（ｂ）における掘下げ部６０Ｃにおける底面（掘下げ部底面６０Ｃ２）と外側（回転軸Ｘと反対側）の端面（外側端面６０Ｃ３）との交点周囲には強い応力が加わる。【００１２】
このため、遠心機において、試料用容器の取り出しを容易に行うことができる耐久性の高いロータが求められた。【００１３】
本発明は、かかる問題点に鑑みてなされたものであり、上記の問題点を解決する発明を提供することを目的とする。
【課題を解決するための手段】
【００１４】
本発明は、上記課題を解決すべく、以下に揚げる構成とした。本発明のロータは、上下方向に延びる遠心機の回転軸に装着され、前記回転軸を中心とし、試料用容器を挿入する複数の試料用容器挿入孔が対称に配列してなる試料用容器支持部が形成されたロータであって、前記試料用容器支持部は、前記回転軸側から径方向外側に向かって高くなる形状の試料用容器設置面と、前記回転軸を中心とした円周より内側において前記試料用容器支持部が掘下げられた掘下げ部、及び前記円周側から前記回転軸側まで延在し、前記回転軸の周りの周方向において隣接する前記試料用容器挿入孔の間に設けられ、前記掘下げ部の底面よりも高く形成されたリブを有し、前記リブの高さ方向の傾斜角の最大値は、前記試料用容器設置面と水平との間の角度よりも大きく、前記リブの回転軸側は、前記掘下げ部の径方向内側の内側端面に接続されていることを特徴とする。本発明のロータにおいて、前記リブは、前記回転軸方向に向かって前記リブの上面が低くなる形状とされたことを特徴とする。本発明のロータにおいて、上面視において、前記試料用容器を囲む外壁部を前記試料用容器設置面の前記径方向の外側に具備することを特徴とする。本発明のロータにおいて、前記リブは、前記回転軸の周りの周方向で隣接する前記試料用容器挿入孔の間の全てにおいて形成されていることを特徴とする。本発明のロータにおいて、上下方向に延びる遠心機の回転軸に装着され、前記回転軸を中心とし、試料用容器を挿入する複数の試料用容器挿入孔が対称に配列してなる試料用容器支持部が形成されたロータであって、前記試料用容器支持部は、上面視において装着された前記試料用容器の前記回転軸側の端部が前記回転軸を中心とした円周上に位置し、前記円周より内側において前記試料用容器支持部が掘下げられた掘下げ部と、前記円周側から前記回転軸側まで延在し、前記回転軸の周りの周方向において隣接する前記試料用容器挿入孔の間に設けられ、前記掘下げ部の底面よりも高く形成されたリブと、を有し、前記リブの高さ方向の傾斜角の最大値は、前記試料用容器設置面と水平との間の角度よりも大きく、前記リブの回転軸側は、前記掘下げ部の径方向内側の内側端面に接続されていることを特徴とする。本発明の遠心機は、前記ロータが用いられることを特徴とする。
【発明の効果】
【００１５】
本発明は以上のように構成されているので、遠心機において、試料用容器の取り出しを容易に行うことができる耐久性の高いロータを得ることができる。
【図面の簡単な説明】
【００１６】
【図１】本発明の実施の形態に係るロータの斜視図（ａ）、断面図（ｂ）である。
【図２】本発明の実施の形態に係るロータの上面図である。
【図３】本発明の実施の形態に係るロータにおけるリブ付近の構造を拡大した断面図である。
【図４】本発明の実施の形態に係るロータにおける試料用容器、掘下げ部、リブ等の位置関係を示す上面図である。
【図５】従来のロータの一例の斜視図（ａ）、断面図（ｂ）である。
【図６】従来のロータの他の一例の斜視図（ａ）、断面図（ｂ）である。
【発明を実施するための形態】
【００１７】
本発明の実施の形態に係るロータについて説明する。このロータは、遠心機（遠心分離機）において用いられ、前記のロータ２００、２０１と同様に、遠心分離処理対象となる試料を収容した多数の同一型の試料用容器５１が装着され、試料に遠心力を印加するために用いられる。このロータ１００の斜視図を図１（ａ）に、回転軸Ｘ及び試料用容器中心軸Ｙに沿った断面図を図１（ｂ）に、図５、６に対応させてそれぞれ示す。このロータ１００のロータ本体１０においても、前記と同様にロータ本体１０の内部が、試料用容器を支持するための試料用容器支持部として機能する。この試料用容器支持部を構成する上向きの面として、回転軸Ｘ近くにおいて略水平に形成されたロータ底面１０Ａと、回転軸Ｘからみたロータ底面１０Ａの径方向外側において上面視において円環状であり内側（ロータ底面１０Ａ側）から外側に向かって高くなるように傾斜した面である試料用容器設置面１０Ｂが設けられる。試料用容器挿入孔１１の形状は、試料用容器本体５１１（試料用容器５１）の形状と同様とされ、その中心軸（試料用容器中心軸Ｙ）が試料用容器設置面１０Ｂと略垂直となるように、試料用容器設置面１０Ｂを掘り下げて形成される。
【００１８】
また、このロータ本体１０においても、上面視において試料用容器５１よりも回転軸Ｘ側に、試料用容器設置面１０Ｂ、ロータ底面１０Ａが掘下げられた掘下げ部１０Ｃが形成される。掘下げ部１０Ｃは、回転軸Ｘからみた径方向において、試料用容器設置面１０Ｂからロータ底面１０Ａにかけて形成され、掘下げ部１０Ｃの径方向内側（回転軸Ｘ側）の端面（内側端面１０Ｃ１）は、装着された試料用容器５１の内側の端部（試料用容器端部Ｐ）よりも内側（回転軸Ｘ側）に位置する。このため、前記のロータ２０１と同様に、全ての試料用容器挿入孔１１に試料用容器５１が装着されている場合でも、使用者は、試料用容器５１よりも回転軸Ｘ側に指を入れて、試料用容器５１を容易に取り出すことができる。一方、ロータ１００の回転時においては、試料用容器５１は、回転軸Ｘからみた外側で外壁部１２等によって、試料用容器中心軸Ｙ方向の全域にわたり強固に支持される。これらの点については、前記のロータ２０１と同様である。
【００１９】
ここで、このロータ本体１０においては、掘下げ部１０Ｃの内部で、内側端面１０Ｃ１、掘下げ部底面１０Ｃ２、外側端面１０Ｃ３を連結するように、径方向に沿って延伸して局所的に高く形成されたリブ１３が設けられている。図２は、上記のロータ１００の上面図である。リブ１３は、回転軸Ｘの周りの周方向において、隣接する試料用容器挿入孔１１の間に設けられ、上面視においては、回転軸Ｘを中心とした放射状に形成されている。また、図１（ｂ）に示されるように、リブ１３の上面の高さは一様ではなく、試料用容器設置面１０Ｂあるいは掘下げ部１０Ｃの外側における端面である外側端面１０Ｃ３から、内側（回転軸Ｘ側）に向かって低くなるように形成されている。
【００２０】
前記の通り、掘下げ部１０Ｃを設けた場合、ロータ本体１０の機械的強度は低下し、図１（ｂ）における掘下げ部底面１０Ｃ２と外側端面１０Ｃ３との間の交差部（掘下げ部１０Ｃの外側下部）が遠心力の印加時に特に破損しやすくなる。これに対して、このロータ本体１０においては、リブ１３を設けることによって、この部分が補強される。特に、前記のようにリブ１３を径方向外側で高く形成することによって、特に補強を要する掘下げ部１０Ｃの外側の部分が補強される。このため、掘下げ部１０Ｃを設けた場合においても、ロータ本体１０の機械的強度を保つことができる。
【００２１】
また、図２に示されるように、周方向において、隣接する試料用容器挿入孔１１の間にリブ１３を設け、上面視において試料用容器挿入孔１１と回転軸Ｘとの間で掘下げ部１０Ｃ（掘下げ部底面１０Ｃ２）が露出する構成とすれば、試料用挿入孔１１に試料用容器５１を装着した場合においても、試料用容器５１よりも回転軸Ｘ側の領域（掘下げ部底面１０Ｃ２が露出した領域）に、使用者が指を入れることができる。このため、使用者が指を入れることのできるスペースは、掘下げ部１０Ｃによって確保される。
【００２２】
図２のリブ１３を、その延伸する方向（回転軸Ｘを中心とした径方向）と垂直な方向で厚く形成する方が、ロータ本体１０の機械的強度を高くする観点からは好ましい。しかしながら、リブ１３をこのように厚く形成すると、使用者が指を入れることのできる領域が狭くなる。これに対して、リブ１３を上記のように回転軸Ｘの周りの周方向において、隣接する試料用容器挿入孔１１の間に設けることにより、リブ１３を厚く形成しても、使用者が指を入れることのできるスペースが狭くなることは抑制される。
【００２３】
また、上記の通り、リブ１３を設けることによってロータ本体１０が補強されるが、この際、リブ１３とロータ本体１０との連結部の機械的強度も確保することが必要である。このためには、この連結部において、破壊の原因となるような凹凸が極力形成されないような形状とされることが好ましい。
【００２４】
図１（ｂ）に示されるように、リブ１３の上面は、径方向外側（回転軸Ｘから離間する側）に向かって高くなるように形成され、外側で試料用容器設置面１０Ｂと連結する。図３は、図１（ｂ）におけるこれらの連結部分付近を拡大して示す図である。前記の通り、試料用容器設置面１０Ｂは水平方向から外側が高くなるように傾斜して形成され、その傾斜角をαとする。一方、リブ１３の上面も同様に傾斜し、その最大傾斜角をβとすると、β＞αとなるように設定される。
【００２５】
βを大きくすることによって、リブ１３を径方向外側で高くしつつ、これよりも径方向内側リブ１３が低くなる部分を設けることができる。リブ１３を径方向外側で高くすることにより、径方向外側で上下方向に広くなったリブ１３が掘下げ部１０Ｃの外側端面１０Ｃ３と連結するため、外側端面１０Ｃ３と掘下げ部底面１０Ｃ２との間の補強という効果は大きくなる。一方、リブ１３を径方向内側で低くすることによって、使用者が試料用容器５１の内側に指を入れる際にリブ１３が障害となることが抑制される。
【００２６】
また、図３において、試料用容器５１の最も内側（回転軸Ｘ側）となる点Ｐと、試料用容器挿入孔１１の最も内側（回転軸Ｘ側）となる点Ｑ（試料用容器挿入孔端部Ｑ）とは、上面視においては、回転軸Ｘを中心とした径の異なる同心円上に存在する。図４は、図２においてこれらの関係を示す上面図である。この図において、まず、試料用容器５１の最も内側となる点Ｐは、点線で示された第１の円周Ｐ１上に存在し、試料用容器挿入孔１１の最も内側（回転軸Ｘ側）となる点Ｑは、その少し外側の破線で示された第２の円周Ｑ１上に存在する。
【００２７】
図４において、第１の円周Ｐ１よりも外側には、掘下げ部１０Ｃが形成されない試料用容器設置面１０Ｂと、外壁部１２とが設けられる。このため、これらによって、回転時において径方向外側に向けて強い遠心力が印加される試料用容器５１を強固に支持することができる。一方、掘下げ部１０Ｃ（掘下げ部底面１０Ｃ２）が第１の円周Ｐ１よりも内側に設けられることによって、使用者が指を入れることのできるスペースが試料用容器５１よりも内側に確保されるため、試料用容器５１の取り出しを容易に行うことができる。なお、例えば、蓋部が設けられない、あるいは蓋部の径が試料用容器本体の径と等しい試料用容器が用いられる場合もある。こうした場合においても、掘下げ部１０Ｃは、第１の円周Ｐ１、あるいは第２の円周Ｑ１よりも内側に形成されていればよい。
【００２８】
前記の通り、掘下げ部１０Ｃの内部にリブ１３を設けることによって、掘下げ部１０Ｃを設けたことによるロータ本体１０の強度低下がリブ１３によって補償される。この際、使用者が指を入れることのできるスペースがリブ１３によって狭くなるおそれがあるが、前記のように、リブ１３を隣接する試料用容器挿入孔１１の間に設けること、リブ１３の上面を傾斜した形状とすることによって、このスペースを確保することができる。
【００２９】
また、図３においては、リブ１３の上面は、外側において最大傾斜角βとされてロータ底面１０Ａよりも高く形成された試料用容器設置面１０Ｂと連結し、内側では外側と逆の傾斜をもってロータ底面１０Ａと連結する。こうした構成によって、ロータ１０内でリブ１３が強固に固定される。また、これによって、リブ１３の上面が最も低くなる箇所が形成されるが、この最も低くなる箇所を、試料用容器５１の最も内側となる点Ｐ（第１の円周Ｐ１）よりも内側となるように設定すれば、リブ１３を、使用者が試料用容器５１を指でつまむ際の障害に特になりにくくすることができるため、特に好ましい。
【００３０】
なお、上記の構成において、図２に示されるように、リブ１３は周方向で隣接する試料用容器５１（試料用容器挿入孔６１）の間の全てにおいて設けられたが、リブ１３をこれらの全てに設ける必要はない。例えば、回転軸Ｘ周りでの対称性が保たれ、かつロータ本体の機械的強度が保たれる限りにおいて、リブを、図２の周方向において１箇所おき、２箇所おき等で設けてもよい。これによって、使用者がより試料用容器を取り出しやすい構成とすることができる。
【００３１】
また、上記の構成においては、試料用容器本体５１１よりも大径の蓋部５１２が上部に装着される試料用容器５１が用いられたが、上記と同様に試料用容器挿入孔に装着された状態で内部の試料に遠心力を印加することができる限りにおいて、例えば蓋部５１２の有無といった試料用容器の形態、構造は任意である。
【００３２】
また、上記の構成においては、ロータ１０中において、同一型の試料用容器が１つの円周上に一列に装着される構成とされた。これに対して、特許文献１等と同様に、２種類以上の試料用容器を種類毎に径の異なる円周上に配置する構成とすることもでき、この場合にも上記の掘下げ部やリブを設けることができる。
【００３３】
また、上記の構成においては、試料用容器支持部は、略水平とされたロータ底面１０Ａと、その外側に上面視において円環状とされた試料用容器設置面１０Ｂとで構成され、試料用容器挿入孔１１は試料用容器設置面１０Ｂに形成され、掘下げ部１０Ｃは試料用容器設置面１０Ｂからロータ底面１０Ａにかけて形成された。しかしながら、試料用容器支持部の構成は、ロータの回転時に試料用容器を安定して支持して内部の試料に遠心力を印加でき、かつ上面視において試料用容器が円周上に配列される限りにおいて、任意であり、試料用容器支持部の表面が径方向外側に向かって高くなる形状の仮想面上にあるような形状であればよい。この場合には、この仮想面に対して、上記の掘下げ部、掘下げ部の内部におけるリブ等を形成することができる。
【００３４】
また、上記の構成においては、ロータ１０の材質について特に言及はしていないが、ロータ１０の材質によらず上記の構成を適用可能である。
【符号の説明】
【００３５】
１０、６０、７０…ロータ本体，１０Ａ、６０Ａ…ロータ底面（試料用容器支持部），１０Ｂ、６０Ｂ…試料用容器設置面（試料用容器支持部），１０Ｃ、６０Ｃ…掘下げ部，１０Ｃ１、６０Ｃ１…内側端面，１０Ｃ２、６０Ｃ２…掘下げ部底面，１０Ｃ３、６０Ｃ３…外側端面，１１、６１…試料用容器挿入孔，１２、６２…外壁部，１３…リブ，５１…試料用容器，１００、２００、２０１…ロータ，５１１…試料用容器本体，５１２…蓋部，Ｐ…試料用容器内側端部，Ｐ１…第１の円周，Ｑ…試料用容器挿入孔端部，Ｑ１…第２の円周，Ｘ…回転軸，Ｙ…試料用容器中心軸
【図１】
0006762504.tif 000002
【図２】
0006762504.tif 000003
【図３】
0006762504.tif 000004
【図４】
0006762504.tif 000005
【図５】
0006762504.tif 000006
【図６】
0006762504.tif 000007